(57)【要約】【課題】簡易な構成のロック装置を提供する。【解決手段】ロック装置は、係合口１４に係合するロック位置と該係止部から外れる解除位置との間でスライド移動可能に配設された一対のロック部３２,３２と、両ロック部３２,３２の連係端部３２ｂ,３２ｂの間に、ロック部３２の往復移動方向と交差する方向にスライド移動可能に配設された連動部３４と、湾曲するように延在してロック部３２の連係端部３２ｂおよび連動部３４に一体的に繋がり、ロック部３２および連動部３４の移動に伴い変形可能で、ロック部３２および連動部３４の何れか一方の移動につれて他方を移動させる一対の連係部３６,３６とを備えている。【選択図】図４
2015063821.tif 000002
【特許請求の範囲】
【請求項１】
係合部に係合するロック位置と該係止部から外れる解除位置との間でスライド移動可能に配設された一対のロック部を備え、付勢手段により両ロック部を互いに離間するようにロック位置に向けて付勢すると共に、操作部の操作により両ロック部を解除位置に向けて互いに近接移動するよう構成されるロック装置において、
前記両ロック部における前記係合部に係合する係合端部と反対側の連係端部間に、該ロック部の往復移動方向と交差する方向にスライド移動可能に配設された連動部と、
湾曲するように延在して前記ロック部の連係端部および前記連動部に一体的に繋がり、ロック部および連動部の移動に伴い変形可能で、ロック部および連動部の何れか一方の移動につれて他方を移動させる一対の連係部とを備えた
ことを特徴とするロック装置。
【請求項２】
前記連係部は、前記ロック部の連係端部および前記連動部の間で弾性変形させた状態で配設された請求項１記載のロック装置。
【請求項３】
前記連係部の湾曲部分との当接により該連係部の延在経路を案内する案内部を備えた請求項１または２記載のロック装置。
【請求項４】
前記ロック部、前記連動部および前記連係部は、一体成形される請求項１〜３の何れか一項に記載のロック装置。
【請求項５】
前記連係部は、湾曲部分における前記ロック部側の端部が該ロック部との繋がり部位を通る該ロック部の往復移動方向に沿うラインに接すると共に、湾曲部分における前記連動部側の端部が該連動部との繋がり部位を通る該連動部の往復移動方向に沿うラインに接するよう、円弧状に湾曲する構成とした請求項１〜４の何れか一項に記載のロック装置。
【発明の詳細な説明】
【技術分野】
【０００１】
この発明は、グローブボックスなどの車両搭載装置に用いられるロック装置に関するものである。
【背景技術】
【０００２】
多くの自動車には、インストルメントパネルの助手席側に、車検証または身の回りの物品を収納可能なグローブボックスが取り付けられている。グローブボックスは、インストルメントパネルに収容された閉成姿勢から乗員室側に回動させて物品を出し入れし、該グローブボックスに配設されたロック装置により閉成姿勢で保持するようになっている(例えば、特許文献１参照)。特許文献１のロック装置は、グローブボックスの表側に揺動可能に配設された操作ノブを備え、操作ノブは、該操作ノブに取り付けられたコイルばねの付勢によって押圧開始位置に保持されている。また、ロック装置は、グローブボックスの裏側に配設され、回動軸から半径方向に延出する受圧部と２つの入力部とを持ち、該回動軸を中心として回動するリンク部材を備え、このリンク部材がコイルばねにより所定方向に付勢されている。更に、ロック装置は、一方の入力部の突出端に右端が回転可能に接続されて左方に延在する第１閂部と、他方の入力部の突出端に左端が回転可能に接続されて右方に延在する第２閂部とを備え、グローブボックスの両側部から突出する左右の閂部がインストルメントパネルに引っ掛かるようになっている。
【０００３】
特許文献１のロック装置は、使用者が操作ノブを揺動操作することで、操作ノブの押圧部によりリンク部材の受圧部が押されてリンク部材が回動し、リンク部材の回動に伴って左右の閂部がインストルメントパネルから退避するように同期して移動する。また、ロック装置は、一方の閂部がインストルメントパネルから退避するように押された場合であっても、リンク部材が回動することで他方の閂部が同期してインストルメントパネルから退避するように移動する。このように、特許文献１のロック装置は、左右の閂部が同期して動作するので、一方の閂部がインストルメントパネルに引っ掛かっているが、他方の閂部がインストルメントパネルに引っ掛からない不具合の発生を回避できる。
【先行技術文献】
【特許文献】
【０００４】
【特許文献１】特開２００９−２３５７９４号公報
【発明の概要】
【発明が解決しようとする課題】
【０００５】
特許文献１のロック装置は、リンク部材の回動軸から半径方向外側に延出する入力部が該回動軸を中心として揺動するのに対して、該入力部の突出端に接続される閂部が左右方向にスライド移動するようになっている。すなわち、リンク部材の入力部と閂部との接続部位は、固定することはできず、前後方向の軸周りに揺動する入力部と左右方向にスライド移動する閂部との動きの差を吸収する余裕を持たせて、入力部に閂部が軸支されている。このため、入力部と閂部との接続部位で生じるガタツキにより、自動車走行時の振動などで異音が発生したり、入力部と閂部とが接続部位で干渉して作動不良を起こすなどの不具合が考えられる。
【０００６】
すなわち本発明は、従来の技術に係る前記問題に鑑み、これらを好適に解決するべく提案されたものであって、構成が簡易で、不具合の発生を回避し得るロック装置を提供することを目的とする。
【課題を解決するための手段】
【０００７】
前記課題を克服し、所期の目的を達成するため、本願の請求項１に係る発明のロック装置は、
係合部に係合するロック位置と該係止部から外れる解除位置との間でスライド移動可能に配設された一対のロック部を備え、付勢手段により両ロック部を互いに離間するようにロック位置に向けて付勢すると共に、操作部の操作により両ロック部を解除位置に向けて互いに近接移動するよう構成されるロック装置において、
前記両ロック部における前記係合部に係合する係合端部と反対側の連係端部間に、該ロック部の往復移動方向と交差する方向にスライド移動可能に配設された連動部と、
湾曲するように延在して前記ロック部の連係端部および前記連動部に一体的に繋がり、ロック部および連動部の移動に伴い変形可能で、ロック部および連動部の何れか一方の移動につれて他方を移動させる一対の連係部とを備えたことを要旨とする。
請求項１に係る発明によれば、湾曲して延在すると共に変形可能な連係部が、ロック部および連動部に一体的に繋がっているから、連係部とロック部および連動部との接続部位を軸支して回動可能にする場合と比べて構成を簡易にすることができ、繋がり部位で生じるガタツキ、干渉、異音などのの不具合の発生を回避できる。湾曲して延在すると共に変形可能な連係部によって、連動部とロック部との間を繋ぐことで、移動方向が異なるロック部および連動部の何れか一方の移動に伴って他方を円滑に同期して移動させることができる。
【０００８】
請求項２に係る発明では、前記連係部は、前記ロック部の連係端部および前記連動部の間で弾性変形させた状態で配設されたことを要旨とする。
請求項２に係る発明によれば、弾性変形した状態で配設された連係部により、連係部自身、ロック部および連動部に反力をかけることで、連係部自身、ロック部および連動部のガタツキを抑えて、異音の発生を抑えることができる。
【０００９】
請求項３に係る発明では、前記連係部の湾曲部分との当接により該連係部の延在経路を案内する案内部を備えたことを要旨とする。
請求項３に係る発明によれば、連係部の湾曲部分に当接可能な案内部によって連係部の延在経路を案内することで、ロック部および連動部の何れか一方の移動につれて他方をよりスムーズに移動させることができる。
【００１０】
請求項４に係る発明では、前記ロック部、前記連動部および前記連係部は、一体成形されることを要旨とする。
請求項４に係る発明によれば、一対のロック部、連動部および一対の連係部を一体成形して１つの部材として構成することで、構成をより簡易にすることができる。
【００１１】
請求項５に係る発明では、前記連係部は、湾曲部分における前記ロック部側の端部が該ロック部との繋がり部位を通る該ロック部の往復移動方向に沿うラインに接すると共に、湾曲部分における前記連動部側の端部が該連動部との繋がり部位を通る該連動部の往復移動方向に沿うラインに接するよう、円弧状に湾曲する構成としたことを要旨とする。
請求項５に係る発明によれば、連係部の湾曲部分を、ロック部側の端部が該ロック部との繋がり部位を通る該ロック部の往復移動方向に沿うラインに接すると共に連動部側の端部が該連動部との繋がり部位を通る該連動部の往復移動方向に沿うラインに接するよう湾曲しているので、連係部ロック部および連動部の何れか一方の移動につれて他方をよりスムーズに移動させることができる。
【発明の効果】
【００１２】
本発明に係るロック装置によれば、構成が簡易で、異音等の不具合の発生を回避し得る。
【図面の簡単な説明】
【００１３】
【図１】本発明の好適な実施例に係るロック装置を備えたグローブボックスが配設されたインストルメントパネルの一部を示す概略斜視図であり、(ａ)はグローブボックスが閉成姿勢にあり、(ｂ)はグローブボックスが開放姿勢にある。
【図２】実施例のロック装置を備えたグローブボックスを示す背面図である。
【図３】図１のＡ−Ａ線断面図である。
【図４】実施例のロック装置の要部を示す背面図であり、(ａ)はロック部がロック位置にあると共に連動部が上方位置にあり、(ｂ)はロック部が解除位置にあると共に連動部が下方位置にある。
【図５】(ａ)は実施例のロック部材を装置設置部から取り外した状態で示す斜視図であり、(ｂ)はロック部材の配設前の状態を示す斜視図である。
【図６】変更例のロック装置の要部を示す概略斜視図である。
【発明を実施するための形態】
【００１４】
次に、本発明に係るロック装置につき、好適な実施例を挙げて、添付図面を参照して以下に説明する。
【実施例】
【００１５】
実施例では、図１に示すように、車両内装部材であるインストルメントパネル１０に設けられたグローブボックス２０に配設されるロック装置３０を例示する。なお、以下の説明において、前後とは、インストルメントパネル１０を基準として指称するものとし、インストルメントパネル１０の乗員室側(車両後方側)を前側とし、インストルメントパネル１０のエンジンルーム側(車両前方側)を後側とする。また、左右とは、インストルメントパネル１０を前面(乗員室側)から見た左右方向を基準として指称する。
【００１６】
図１に示すように、グローブボックス２０は、インストルメントパネル２０の助手席側の下部に該グローブボックス２０を収容可能な大きさに形成された設置部１２に配設されている。グローブボックス２０は、インストルメントパネル１０の意匠面を構成する第１パネル２２と、該第１パネル２２の裏側に取り付けられる第２パネル２４とを備え、第２パネル２４に上方に開口した物品収納部２５が設けられている。また、グローブボックス２０は、第１パネル２２と第２パネル２４との間に物品収納部２５の上側に位置して、ロック装置３０が設置される装置設置部２６が画成されている(図２および図３参照)。グローブボックス２０は、その下部が、インストルメントパネル１０の設置部１２に回動可能に支持されて、第１パネル２２が該インストルメントパネル１０に整合した閉成姿勢(図１(ａ))および該第１パネル２２が前方へ傾動した開放姿勢(図１(ｂ))に姿勢変位するよう構成される。グローブボックス２０は、設置部１２の両側壁上部に形成された係合口(係合部)１４に挿入されたロック装置３０の後述する一対のロック部３２,３２により、閉成姿勢で回動規制される。また、グローブボックス２０は、ロック装置３０を操作して両ロック部３２,３２を係合口１４から抜き出すことで、ロック装置３０による回動規制が解除されて開放姿勢への姿勢変位が許容される。
【００１７】
次に、実施例のロック装置３０について、図３〜５を主に参照して説明する。実施例のロック装置３０は、左右方向にスライド移動可能に配設された一対のロック部３２,３２を備えている。各ロック部３２は、一端部(係合端部３２ａという)がインストルメントパネル１０の前記係合口１４に係合可能なロック位置(図４(ａ))と、該係合端部３２ａが係合口１４から外れる解除位置(図４(ｂ))との間で往復移動するようになっている。なお、各ロック部３２において、係合口１４に係脱する係合端部３２ａに対して左右方向(ロック部３２の往復移動方向)で反対側の他端部を連係端部３２ｂという。また、ロック装置３０は、両ロック部３２,３２の連係端部３２ｂ,３２ｂ間に、上下方向(ロック部３２の往復移動方向と交差する方向)にスライド移動可能に配設された連動部３４を備えている。更に、ロック装置３０は、各ロック部３２の連係端部３２ｂおよび連動部３４を繋ぐ一対の連係部３６,３６を備えている。ロック装置３０は、夫々のロック部３２から連動部３４へ、連動部３４から両ロック部３２,３２へ連係部３６を介して力が伝達されるよう構成され、連動部３４の移動に連動して両ロック部３２,３２が移動し、左右の何れか一方のロック部３２の移動に伴い連動部３４が移動することで他方のロック部３２も移動するようになっている。
【００１８】
前記ロック装置３０は、両ロック部３２,３２を互いに離間するように夫々のロック位置に向けて付勢する付勢手段としてのコイルばね３８と、連動部３４(実施例)または何れか一方のロック部３２を移動させる操作部４０とを備えている(図３参照)。そして、ロック装置３０は、コイルばね３８によりロック位置に向けて互い離間移動するよう付勢される両ロック部３２,３２を、操作部４０の操作により解除位置に向けて互いに近接移動させ得るようになっている。ここで、左右のロック部３２,３２、連動部３４および左右の連係部３６,３６は、一体成形された１つのロック部材３１で構成されている(図５参照)。実施例では、左右のロック部３２,３２および連係部３６,３６が、連動部３４を挟んで左右対称に構成されているので、一方のロック部３２および連係部３６だけを説明して、他方のロック部３２および連係部３６の説明を省略する。
【００１９】
図２に示すように、前記ロック部３２は、かんぬきとして機能する棒状部分であり、装置設置部２６において第１パネル２２の裏面に沿って左右方向にスライド移動可能に配設されている。装置設置部２６では、左右のロック部３２,３２が、連係端部３２ｂ,３２ｂを互いに向かい合わせて左右方向に離間配置されると共に、該装置設置部２６の側面を構成する第２パネル２４の側壁部に夫々開設された通口２８を介してロック部３２の係合端部３２ａが外側方に夫々突出している。ロック部３２は、その長手を自身の往復移動方向である左右方向に沿わせた姿勢で配設され、実施例では両ロック部３２,３２が左右方向に直線的に並んでいる。ロック部３２は、前記装置設置部２６の通口２８を介して外側方に係合端部３２ａが突出して、閉成姿勢にあるグローブボックス２０の通口２８に相対する位置に形成された係合口１４に、係合端部３２ａがロック位置で挿入される(図４(ａ)参照)。また、ロック部３２は、ロック位置よりも装置設置部２６の内方へ引き込まれた解除位置に移動することで、係合端部３２ａが係合口１４から抜け出して外れる(図４(ｂ)参照)。なお、係合端部３２ａは、前側から後側に向かうにつれて内側に傾くように斜めに形成されている(図５参照)。
【００２０】
前記ロック部３２は、通口２８の開口縁や、装置設置部２６を画成するパネル２２,２４に形成された案内部４２,４３などとの当接により、上下および前後方向(該ロック部３２の往復移動方向と交差する方向)への移動が規制される一方、ロック位置と解除位置との間の左右方向の移動が許容される。実施例では、通口２８の開口縁と、第１パネル２２の裏面に立設されて、該通口２８の開口上縁に高さを揃えて左右方向に延在する上側案内部４２と、第１パネル２２の裏面に上側案内部４２の下側に立設されて、通口２８の開口下縁に高さを揃えて左右方向に延在する下側案内部４３とで、ロック部３２を案内するよう構成される。上側案内部４２および下側案内部４３は、板状片であって、上下方向の離間寸法がロック部３２の上下寸法と同じか僅かに大きい略同一に設定されている。また、上側案内部４２と下側案内部４３とは、一部が上下に重なり、上側案内部４２が下側案内部４３よりも連動部３４側(内側)に延出して後述する連係部３６の直線部分３６ｂ上側まで延在する一方、下側案内部４３が上側案内部４２よりも通口２８側(外側)に延出している。
【００２１】
前記連動部３４には、上下方向に延在すると共に前方に開放する案内溝部３４ａが、左右方向中央部に形成され、連動部３４は、第１パネル２２の裏面に上下に延在するよう立設された保持片４４に案内溝部３４ａを嵌め合わせて配設される。すなわち、連動部３４は、案内溝部３４ａと保持片４４との係合により、左右方向の移動が規制される一方、上下方向の移動が許容され、両ロック部３２,３２の連係端部３２ｂ,３２ｂの間で、上下方向にスライド移動可能に配設されている。そして、連動部３４は、下端部に左右に延出するよう形成されて、その延出端が連係部３６と繋がる一対の延出片３４ｂ,３４ｂを備えている。また、連動部３４は、上端部が操作部４０に当接する受部３４ｃとなっている。
【００２２】
前記連係部３６は、ロック部３２および連動部３４の何れか一方の移動につれてロック部３２および連動部３４の何れか他方を移動させるよう、ロック部３２および連動部３４を繋いでいる(図４参照)。連係部３６は、ロック部３２の連係端部３２ｂに一体的に繋がると共に、連動部３４における前記延出片３４ｂの延出端に一体的に繋がっている。ここで、「一体的に繋がる」とは、連係部３６が連動部３４およびロック部３２と一体成形したものであること(実施例)や、または連係部３６が連動部３４およびロック部３２と別体であっても、連係部３６が連動部３４およびロック部３２と固定的に接続されることをいう。すなわち、連係部３６は、連動部３４およびロック部３２に対して軸支等の変動する構成により接続されるものではない。
【００２３】
前記ロック装置３０は、連動部３４における延出片３４ｂの延出端が、ロック部３２より下側にずらして、ロック部３２の連係端部よりも内側に配置されており、連動部３４における延出片３４ｂの延出端およびロック部３２の連係端部３２ｂの間で連係部３６が湾曲するように延在している。また、連係部３６は、ロック部３２に対して上下方向で、連動部３４に対して左右方向に湾曲変形可能な可撓性を有しており、実施例では湾曲させたい方向の連係部３６の厚みを、剛性を有するロック部３２よりも薄く設定することで湾曲変形可能としている。そして、ロック部３２の左右方向の移動に伴って連係部３６に入力される左右方向の力を湾曲部分３６ａで上下方向に変換して連動部３４を上下方向に移動させると共に、連動部３４の上下方向の移動に伴って連係部３６に入力される上下方向の力を湾曲部分３６ａで左右方向に変換してロック部３２を左右方向に移動させる。
【００２４】
前記連係部３６は、湾曲部分３６ａにおけるロック部３２側の端部が、該ロック部３２との繋がり部位を通る左右方向(ロック部３２の往復移動方向)に沿う仮想ライン(第１ラインという)Ｌ１に接すると共に、湾曲部分３６ａにおける連動部３４側の端部が、連動部３４との繋がり部位を通る上下方向(連動部３４の往復移動方向)に沿う仮想ライン(第２ラインという)Ｌ２に接するように構成される(図４参照)。連係部３６の湾曲部分３６ａは、第１ラインＬ１と第２ラインＬ２との交点に向けて凸になる円弧状に延在している。また、連係部３６は、湾曲部分３６ａのロック部３２側の端部に、第１ラインＬ１に沿った第１直線部分３６ｂが生じ、湾曲部分３６ａの連動部３４側の端部に、第２ラインＬ２に沿った第２直線部分３６ｃが生じるようになっている。そして、連係部３６は、ロック部３２および連動部３４の移動につれて該連係部３６の中で湾曲部分３６ａが移り変わり、これにより一方の直線部分３６ｂ,３６ｃが短くまたはなくなると共に他方の直線部分３６ｃ,３６ｂが長くなるように全体として変形するよう構成される。また、連係部３６は、理想的な条件において、装置設置部２６に対する湾曲部分３６ａの相対的な位置関係および湾曲部分３６ａの形状が変化しないように構成されている。
【００２５】
具体的には、連係部３６は、ロック部３２が解除位置に向かうにつれて第１直線部分３６ｂが短くなる一方、第２直線部分３６ｃが長くなるよう変形し、これにより連動部３４が下方に移動する。連係部３６は、ロック部３２がロック位置に向かうにつれて第１直線部分３６ｂが長くなる一方、第２直線部分３６ｃが短くなるよう変形し、これにより連動部３４が上方に移動する。連係部３６は、連動部３４が上方に向かうにつれて第２直線部分３６ｃが短くなる一方、第１直線部分３６ｂが長くなるよう変形し、これによりロック部３２がロック位置に向けて移動する。連係部３６は、連動部３４が下方に向かうにつれて第２直線部分３６ｃが長くなる一方、第１直線部分３６ｂが短くなるよう変形し、これによりロック部３２が解除位置に向けて移動する。このように、実施例のロック装置３０は、ロック部３２がロック位置にあるときに連動部３４が上方位置にあり(図４(ａ))、ロック部３２が解除位置にあるときに、連動部３４が前記上方位置より下がった下方位置になっている(図４(ｂ))。
【００２６】
前記連係部３６は、装置設置部２６に設けられた案内手段４２,４６,４７,４８との当接により、連動部３４とロック部３２との間の延在経路が案内される(図４参照)。案内手段としては、連係部３６における湾曲部分３６ａの凸側に当接可能に配置される第１湾曲案内部４６と、連係部３６における湾曲部分３６ａの凹側に当接可能に配置される第２湾曲案内部４７とが、第１パネル２２の裏面に立設されている。また、別の案内手段としては、湾曲部分３６ａにおけるロック部３２側の端部側に対応して配置され、連係部３６における湾曲部分凸側に連なる面に当接可能な前記上側案内部４２と、湾曲部分３６ａにおける連動部３４側の端部側に対応して配置され、連係部３６における湾曲部分凸側に連なる面に当接可能な内側案内部４８とを備えている。このように、実施例の上側案内部４２は、ロック部３２の上方移動を規制するだけでなく、連係部３６の上側に延在して該連係部３６を案内する手段として兼用される。また、実施例では、上側案内部４２、第１湾曲案内部４６および内側案内部４８が、第１パネル２２の裏面に後方へ向けて立ち上がる連なった壁状片で構成されている。
【００２７】
前記第１湾曲案内部４６および第２湾曲案内部４７は、上下方向において、前記第１ラインＬ１より下側(連動部３４側)で、上方位置にある連動部３４と連係部３６との繋がり部位より上側(ロック部３２側)に配設されている。また、第１湾曲案内部４６および第２湾曲案内部４７は、左右方向において、前記第２ラインＬ２より外側(ロック部３２側)で、解除位置にあるロック部３２と連係部３６との繋がり部位よりも内側(連動部３４側)に配設されている。第１湾曲案内部４６は、第１ラインＬ１と第２ラインＬ２との交点に向けて凸になる円弧状に延在している。第１湾曲案内部４６における前記連係部３６を案内する湾曲凹面は、ロック部３２側の端部が第１ラインＬ１に沿うと共に、連動部３４側の端部が第２ラインＬ２に沿うように湾曲形成されている。実施例の第１湾曲案内部４６は、第１パネル２２の裏面に立設された板状片であって、第１ラインＬ１と第２ラインＬ２とがなす角の中央を通る仮想ライン(第３ラインという)Ｌ３上に中心があって第１ラインＬ１と第２ラインＬ２とに内接する円弧に相似する形状で延在するよう形成されている。すなわち、第１湾曲案内部４６は、連係部３６における湾曲部分３６ａの凸側に沿った湾曲形状で形成され、湾曲部分３６ａの凸側全体に亘って当接可能に構成されている。第２湾曲案内部４７は、第１湾曲案内部４６の湾曲凹面に相対して、該第１湾曲案内部４６との間に連係部３６の湾曲部分３６ａが通過可能な隙間をあけて配置されている。実施例の第２湾曲案内部４７は、第１パネル２２の裏面から後方へ延出する円柱状に形成され、前記第３ラインＬ３上に第１湾曲案内部４６から連係部３６の板厚分と同一または僅かに大きく離間して配置されている。
【００２８】
前記第１湾曲案内部４６は、ロック部３２の解除位置への移動に伴う湾曲部分３６ａの第２ラインＬ２側への移動を該湾曲部分３６ａの凸側に全体的に当接することで規制し、連動部３４の上方位置への移動に伴う湾曲部分３６ａの第１ラインＬ１側への移動を該湾曲部分３６ａの凸側に全体的に当接することで規制するようになっている。すなわち、第１湾曲案内部４６は、連係部３６の湾曲部分３６ａが所定の湾曲形状を保つように、該連係部３６を案内している。また、第２湾曲案内部４７は、ロック部３２のロック位置への移動に伴う湾曲部分３６ａの第２ラインＬ２から離間する側への移動を該湾曲部分３６ａの凹側中央部に当接することで規制し、連動部３４の下方位置への移動に伴う湾曲部分３６ａの第１ラインＬ１から離間する側への移動を該湾曲部分３６ａの凹側中央部に当接することで規制するようになっている。そして、第１湾曲案内部４６および第２湾曲案内部４７は、理想的な条件において、前記第３ラインＬ３上に中心を有する円弧軌跡で連係部３６の湾曲部分３６ａが湾曲するように案内している。
【００２９】
前記上側案内部４２は、ロック部３２と連係部３６との繋がり部位に対して、上下方向において連動部３４と連係部３６との繋がり部位と反対側に、第１ラインＬ１(左右方向)に沿って延在するよう形成され、連係部３６における湾曲部分３６ａ凸側に連なる面に対向配置される(図４参照)。上側案内部４２は、ロック部３２および連動部３４の移動に伴う第１直線部分３６ｂの長短に対応して、湾曲部分３６ａのロック部３２側の端部からロック部３２との繋がり部位に亘って延在するよう形成されている。そして、上側案内部４２は、連動部３４の上方位置への移動に伴う連係部３６の第１ラインを越えた上方移動を連係部３６の第１直線部分３６ｂに当接することで規制するようになっている。
【００３０】
前記内側案内部４８は、連動部３４と連係部３６との繋がり部位に対して、左右方向においてロック部３２と連係部３６との繋がり部位と反対側に、第２ラインＬ２(上下方向)に沿って延在するよう形成され、連係部３６における湾曲部分３６ａ凸側に連なる面に対向配置される(図４参照)。内側案内部４８は、ロック部３２および連動部３４の移動に伴う湾曲部分３６ａにおける連動部３４側の端部の上下変位に対応して、上下方向に延在するよう形成されている。そして、内側案内部４８は、ロック部３２の解除位置への移動に伴う連係部３６の第２ラインＬ２を越えた左右方向の移動を連係部３６の第２直線部分３６ｃに当接することで規制するようになっている。実施例の内側案内部４８は、下端部に内方に延出する当接片４８ａを有し、当接片４８ａは連動部３４の本体および連係部３６の間に配置されて該連動部３４の本体側面に当接するようになっている。また、当接片４８ａは、連動部３４の上方位置において、延出片３４ｂに当接することで、連動部３４が上方位置を越えて上方に変位しないように移動規制している。
【００３１】
前記連係部３６は、前記ロック部３２の連係端部３２ｂおよび前記連動部３４の間で弾性変形させた状態で配設されている。連係部３６は、湾曲部分３６ａを伸ばした直線的な状態、または曲がっている場合であっても配設状態の湾曲部分３６ａよりも曲がりが小さい形状(元形状という)で形成される。連係部３６は、装置設置部２６に配設した際に元形状よりも大きく湾曲させるように弾性変形することで、元形状に復帰する方向に反力がかかるようになっている。すなわち、ロック部３２は、連係部３６の反力により上方に向けて付勢されることで、上側案内片４２および通口２８の開口上縁に押し付けられる。また、連動部３４には、左右の連係部３６,３６の反力が該連動部３４を挟持するように作用し、左右方向に位置規制される。ロック部３２,３２、連動部３４および連係部３６,３６を別体で形成して組み合わせてもよいが、前述の如く実施例では、左右のロック部３２,３２、連動部３４および左右の連係部３６,３６を合成樹脂で一体成形して、１つのロック部材３１として構成している。ここで、ロック部材３１は、左右の連係部３６,３６を連動部３４の移動方向である上下方向に直線的に伸ばして、左右のロック部３２,３２の長手を平行させた状態で成形される。そして、ロック部材３１は、装置設置部２６に配設する際に左右のロック部３２,３２を互いに離間するように連係部３６,３６を夫々湾曲して、各ロック部３２の長手を左右に延在させた状態にしている。
【００３２】
図３に示すように、前記操作部４０は、第１パネル２２に後方に凹むと共に前方に開口した凹部２３に収容されると共に、該凹部２３で左右方向の軸周りに回動可能に支持されている。操作部４０は、支持部分より下方へ延出する操作ノブ４０ａと、支持部分の上部から後方へ延出し、凹部２３の上部に開設された操作開口２３ａを介して装置設置部２６に挿入される押圧片４０ｂとを備え、押圧片４０ｂが連動部３４における受部３４ｃの上側に配置されている。操作部４０は、非操作状態から操作ノブ４０ａを手前側に引いた操作状態とすることで、下方変位するように押圧片４０ｂが姿勢変位し、これにより押圧片４０ｂに受部３４ｃが押されて連動部３４が上方位置から下方位置に移動される。なお、操作部４０は、トーションばね等の図示しない操作部付勢手段によって非操作状態に向けて付勢され、使用者が操作していないときは非操作状態で保持されている。前記付勢手段としてのコイルばね３８は、連動部３４と装置設置部２６との間に架設されており、コイルばね３８により連動部３４を上方位置に向けて付勢することで、連動部の上方位置に対応してロック位置となるロック部３２,３２を間接的に付勢している。
【００３３】
〔実施例の作用〕
次に、実施例に係るロック装置３０の作用について説明する。使用者が操作部４０の操作ノブ４０ａを引くことで、操作部４０の押圧片４０ｂにより押されて連動部３４がコイルばね３８の付勢に抗して上方位置から下方位置に移動する。下方に移動する連動部３４に左右の連係部３６,３６が下方へ引っ張られることで、夫々の連係部３６に内側方へ引っ張られて左右のロック部３２,３２がロック位置から解除位置に向けて同期して移動し、各係合端部３２ａが係合口１４から外れてグローブボックス２０の開放が許容される(図４(ｂ)参照)。そして、グローブボックス２０の開放姿勢で使用者が操作ノブ４０ａを離せば、操作部４０が非操作状態に戻ると共に、連動部３４がコイルばね３８に付勢されて下方位置から上方位置に移動する。上方に移動する連動部３４に左右の連係部３６,３６が上方に押されることで、夫々の連係部３６に外側方へ押されて左右のロック部３２,３２が解除位置からロック位置に向けて同期して移動し、左右のロック部３２,３２がロック位置で保持される(図４(ａ)参照)。
【００３４】
前記グローブボックス２０を開放姿勢から閉成姿勢に戻す際には、左右のロック部３２,３２の係合端部３２ａ,３２ａが設置部１２の側壁に夫々当接することで、ロック位置から解除位置に向けて押し込まれ、両ロック部３２,３２に押された連係部３６,３６により連動部３４が下方へ押されてコイルばね３８の付勢に抗して上方位置から下方位置に移動する。そして、左右のロック部３２,３２の係合端部３２ａ,３２ａが対応の係合口１４に挿入されれば、連動部３４がコイルばね３８に付勢されて下方位置から上方位置に移動する。これにより、上方に移動する連動部３４に左右の連係部３６,３６が上方に押されることで、夫々の連係部３６に外側方へ押されて左右のロック部３２,３２が解除位置からロック位置に向けて同期して移動し、左右のロック部３２,３２がロック位置で保持される。一方のロック部３２だけが解除位置に向けて押された場合であっても、解除位置に向けて移動する一方のロック部３２に押された該ロック部３２に繋がる一方の連係部３６により連動部３４が下方に押されることで、連動部３４に下方へ引っ張られた他方の連係部３６により該連係部３６に繋がる他方のロック部３２が解除位置に向けて引っ張られる。また、一方のロック部３２への解除位置に向けた押圧状態が解除されると、連動部３４がコイルばね３８に付勢されて下方位置から上方位置に移動し、上方に移動する連動部３４に左右の連係部３６,３６が押されて左右のロック部３２,３２が解除位置からロック位置に向けて同期して移動する。このように、ロック装置３０は、一方のロック部３２にだけが押される場合であっても、該一方のロック部３２に連動して他方のロック部３２も解除位置およびロック位置に移動される。
【００３５】
前記ロック装置３０は、湾曲するように延在する連係部３６が連動部３４およびロック部３２の移動につれて変形することで、連動部３４の上下方向の移動に伴って左右のロック部３２,３２を左右方向の移動させるよう連係部３６で押し引きでき、各ロック部３２の左右方向の移動に伴って、連動部３４を上下方向に移動させるよう連係部３６で押し引きできる。すなわち、連動部３４およびロック部３２に回動可能に接続されるリンクによって連動部３４とロック部３２との間で力を伝達するリンク機構と異なり、連係部３６が、ロック部３２および連動部３４に一体的に繋がっていても、湾曲して延在すると共に変形可能な連係部３６によってロック部３２および連動部３４の何れか一方の移動につれて他方を移動させるように力の向きを変えて伝達することができる。このように、ロック装置３０は、部材間を回動可能に接続する支持構造を必要としないから、前記リンク機構と比べて構成を簡易にすることができる。そして、連係部３６は、連動部３４およびロック部３２に一体的に繋がっているから、連動部３４と連係部３６との繋がり部位およびロック部３２と連係部３６との繋がり部位で生じるガタツキ、部材間の干渉に伴う作動不良や破損、部材間の遊びに起因する異音の発生などの不具合を回避できる。しかも、湾曲して延在すると共に変形可能な連係部３６によって、連動部３４とロック部３２との間を繋ぐことで、ロック部３２および連動部３４の何れか一方の移動につれて他方を移動させる際に、一対のロック部３２,３２を円滑に同期して移動させることができる。
【００３６】
前記連係部３６は、湾曲部分３６ａにおけるロック部３２側の端部が該ロック部３２との繋がり部位を通る左右方向に沿う第１ラインＬ１に接すると共に、湾曲部分３６ａにおける連動部３４側の端部が該連動部３４との繋がり部位を通る上下方向に沿う第２ラインＬ２に接するよう湾曲する構成である。これにより、連係部３６は、連動部３４の上方移動(第１ラインＬ１側への近接移動)に伴う押す力を直線的に受けて湾曲部分３６ａで左右方向に向きを変えてロック部３２に対して直線的に伝達することができる。同様に、連係部３６は、ロック部３２の左右方向内側の移動(第２ラインＬ２側への近接移動)に伴う押す力を直線的に受けて湾曲部分３６ａで上下方向に向きを変えて連動部３４に対して直線的に伝達することができる。このように、ロック装置３０は、連係部３６によってロック部３２および連動部３４の何れか一方の移動に伴う力を他方に適切に伝達することができるから、ロック部３２および連動部３４の何れか一方の移動につれて他方をよりスムーズに移動させることができる。
【００３７】
前記連係部３６は、湾曲部分３６ａを弾性変形させた状態で配設されている。すなわち、連係部３６には、湾曲部分３６ａが開く方向に常に反力がかかっており、この反力によりロック部３２が上方に付勢される。これにより、連係部３６は、第１直線部分３６ｂが上側案内部４２に押し付けられて位置規制されると共に、第２直線部分３６ｃが内側案内部４８に押し付けられて位置規制される。また、ロック部３２は、上側案内部４２および通口２８の開口上縁に押し付けられて位置規制される。更に、連動部３４は、左右の連係部３６,３６によって左右から挟持される。このように、ロック装置３０は、弾性変形した連係部３６からかかる反力によって、連係部３６自身、ロック部３２および連動部３４の装置設置部２６に対するガタツキを抑えることができ、異音の発生を抑えることができる。
【００３８】
前記ロック装置３０では、連動部３４が上方移動して連係部３６が上方に押された際に、第１湾曲案内部４６に沿って該連係部の湾曲部分３６ａ凸側が当接することで、湾曲部分３６ａが第１ラインＬ１側に膨らむような異常変形が規制され、湾曲部分３６ａが所定の円弧状を保つにように案内される。連動部３４が上方移動して連係部３６が上方に押された際には、上側案内部４２に該連係部３６の第１直線部分３６ｂが当接することで、第１直線部分３６ｂが第１ラインＬ１を越えて膨らむような異常変形が規制され、第１直線部分３６ｂが直線を保つにように案内される。ロック部３２が解除位置へ向けて移動して連係部３６が内方に押された際には、第１湾曲案内部４６に沿って該連係部３６の湾曲部分３６ａ凸側が当接することで、湾曲部分３６が第２ラインＬ２側に膨らむような異常変形が規制され、湾曲部分３６ａが所定の円弧状を保つにように案内される。ロック部３２が解除位置へ向けて移動して連係部３６が内方に押された際には、内側案内部４８に該連係部３６の第２直線部分３６ｃが当接することで、第２直線部分３６ｃが第２ラインＬ２を越えて膨らむような異常変形が規制され、第２直線部分３６ｃが直線を保つように案内される。連動部３４が下方移動して連係部３６が下方へ引っ張られた際には、第２湾曲案内部４７に該連係部３６の湾曲部分３６ａ凹側が当接することで、湾曲部分３６ａが第１ラインＬ１から離間する側に変位する異常変形が規制され、湾曲部分３６ａが所定の円弧状を保つように案内される。このように、ロック装置３０は、連係部３６に当接可能な案内手段４２,４６,４７,４８によって連係部３６の延在経路を規定するように案内することで、ロック部３２および連動部３４の何れか一方の移動につれて他方をよりスムーズに移動させることができる。
【００３９】
前記ロック装置３０は、一対のロック部３２,３２、連動部３４および一対の連係部３６,３６を一体成形して１つのロック部材３１として構成することで、部品点数を減らすことができ、構成をより簡易にすることができる。ロック部材３１は、装置設置部２６への配設状態において、左右の連係部３６,３６を湾曲させて左右のロック部３２,３２が左右方向に直線的に並ぶように配置しており、左右方向に長手が延在するグローブボックス２０に対応して左右のロック部３２,３２の係合端部３２ａ,３２ａ間が長くなっている。すなわち、ロック部材３１を装置設置部２６への配設状態で型成形すると、左右のロック部３２,３２の係合端部３２ａ,３２ａ間に合わせて比較的大型の型装置が必要になる。そこで、ロック部材３１について、左右のロック部３２,３２を互いに並行するように左右の連係部３６,３６を連動部３４の側面に沿って伸ばした状態で型成形することで、左右のロック部３２,３２が長手を揃えて一直線に並ぶ配設状態よりも連動部３４の下端から係合部３２の係合端部３２ａまでの寸法が短くなり、型装置をコンパクトにすることができる。そして、ロック部材３１は、左右のロック部３２,３２を互いに並行するように左右の連係部３６,３６を連動部３４の側面に沿って伸ばした状態で型成形することで、装置設置部２６に配設する際に左右の連係部３６,３６を湾曲させることになり、左右の連係部３６,３６が弾性変形された状態で配設されることになる。
【００４０】
(変更例)
前述した構成に限定されず、例えば以下のようにも変更することが可能である。
(１)実施例では、ロック部、連動部および連係部を一体成形したが、ロック部と連係部とを一体成形して、別体の連動部と連係部とを剛接合する構成であっても、連動部と連係部とを一体成形して、別体のロック部と連係部とを剛接合する構成であっても、別体に成形したロック部と連係部とを剛接合すると共に別体に成形した連動部と連係部とを剛接合する構成であってもよい。
(２)実施例では、連動部を挟んで一対の連係部が対称である構成を説明したが、これに限られず、一方の連係部が他方の連係部より長かったり、両連係部の湾曲部分の形状が相違したりする、非対称の構成であってもよい。
(３)実施例では、一対のロック部を並行させた形状でロック部材を成形したが、一対のロック部を配設状態と同じ形状でロック部材を成形してもよい。
(４)実施例では操作部の操作により連動部を移動させる構成を例示したが、図６に示す変更例のように、操作部の操作により一方のロック部を移動させる構成であってもよい。図６に示す変更例では、プッシュ式の操作部５０の裏面に後方へ突出するように設けられた押圧片５１の操作側テーパ面５１ａが、一方のロック部３２に設けられたロック側テーパ面５２に当接して押圧方向と交差する方向に押し退けることで、一方のロック部３２が解除位置に向けて移動される。なお、図６では、実施例と同様の構成に同じ符号を付してある。
(５)操作部は、左右の軸周りに回動する構成に限られず、上下の軸周りに回動する構成や、前後方向、上下または左右にプッシュする構成であってもよい。また、操作部は、ロック部材が配設されて位置規制する部材(実施例ではグローブボックス)に配設する構成に限られず、前記位置規制する部材を支持する別の部材(実施例ではインストルメントパネル)に操作部を設けて、該操作部の操作によりロック部を解除位置に向けて移動させる構成であってもよい。
(６)実施例ではロック装置をグローブボックスに適用する例を説明したが、コンソールボックスのコンソールリッドを開放規制する場合や、小物入れの蓋を開放規制する場合など、各種の車両搭載装置に本発明に係るロック装置を適用可能である。
(７)実施例では、一対のロック部が左右方向に一直線上に並ぶ構成を説明したが、これに限られず、両ロック部を異なる角度で配置してもよく、両ロック部を連動部の往復移動方向にずらして配置してもよい。
(８)連係部の湾曲部分凸側および凹側を案内する湾曲案内部は、該湾曲部分の全体に亘って壁状の当接部分が延在する構成や、連係部の湾曲部分に沿って断続的に並ぶ複数の当接部分からなる構成や、連係部の湾曲部分頂部などの適宜箇所に合わせて配置された１つの当接部分からなる構成であってもよい。
(９)ロック装置は、両ロック部の長さが同じである対称な構成であっても、一方のロック部が他方のロック部より長かったり、および／またはロック部の形状が相違したりする、非対称の構成であってもよい。
【符号の説明】
【００４１】
１４ 係合口(係合部)，３２ ロック部，３２ａ 係合端部，３２ｂ 連係端部，
３４ 連動部，３６ 連係部，３６ａ 湾曲部分，４６ 第１湾曲案内部(案内部)
【図１】
2015063821.tif 000003
【図２】
2015063821.tif 000004
【図３】
2015063821.tif 000005
【図４】
2015063821.tif 000006
【図５】
2015063821.tif 000007
【図６】
2015063821.tif 000008